(57)【要約】【課題】  記録媒体のエラー検査を低コストで行い、データ解析結果を適正に管理して品質管理等に有効活用することが可能なエラー解析システムを提供する。【解決手段】  音楽再生用のＣＤに記録されたＥＦＭ信号を従来のようにデコーダＩＣでデコードするのではなく、ＣＰＵ１７０に搭載したソフトウェアでデコードする。具体的には、ＣＤ１１０から読み出した変調データをハードディスク装置１６０に蓄積した後、この変調データに対してＣＰＵ１７０のソフトウェアデコーダによるエラー解析を行い、そのエラー解析結果を音楽データを構成するメインチャネルデータやサブコードデータ等とともに、ハードディスク装置１８０に格納する。【選択図】        図１
2006004481.tif 000002
【特許請求の範囲】
【請求項１】
記録媒体に記録された所定方式の変調データを読み出す信号再生手段と、
前記信号再生手段によって読み出した変調データを蓄積する大容量記憶手段と、
前記大容量記憶手段に蓄積された変調データに対してソフトウェアデコーダによるエラー解析を行うエラー解析手段と、
前記エラー解析手段によるエラー解析結果を格納する解析結果格納手段と、
を有することを特徴とするエラー解析装置。
【請求項２】
前記解析結果格納手段には、前記エラー解析結果とともに、変調データを復調したデータを格納することを特徴とする請求項１記載のエラー解析装置。
【請求項３】
前記エラー解析結果にはエラーの原因を表す情報を含むことを特徴とする請求項１記載のエラー解析装置。
【請求項４】
前記記録媒体がＣＤであり、前記所定方式がＥＦＭ変調方式であることを特徴とする請求項１記載のエラー解析装置。
【請求項５】
前記解析結果格納手段に格納したエラー解析結果を可視的に出力する出力手段を有することを特徴とする請求項１記載のエラー解析装置。
【請求項６】
前記大容量記憶手段は、ハードディスク装置であることを特徴とする請求項１記載のエラー解析装置。
【請求項７】
前記解析結果格納手段は、ハードディスク装置であることを特徴とする請求項１記載のエラー解析装置。
【請求項８】
記録媒体に記録された所定方式の変調データを読み出す信号再生ステップと、
前記信号再生手段によって読み出した変調データを大容量記憶手段に蓄積する蓄積ステップと、
前記大容量記憶手段に蓄積された変調データに対してソフトウェアデコーダによるエラー解析を行うエラー解析ステップと、
前記エラー解析手段によるエラー解析結果を解析結果格納手段に格納する格納ステップと、
を有することを特徴とするエラー解析方法。
【請求項９】
前記格納ステップでは、前記エラー解析結果とともに、変調データを復調したデータを解析結果格納手段に格納することを特徴とする請求項８記載のエラー解析方法。
【請求項１０】
前記エラー解析結果にはエラーの原因を表す情報を含むことを特徴とする請求項８記載のエラー解析方法。
【請求項１１】
前記記録媒体がＣＤであり、前記所定方式がＥＦＭ変調方式であることを特徴とする請求項８記載のエラー解析方法。
【請求項１２】
前記解析結果格納手段に格納したエラー解析結果を可視的に出力する出力ステップを有することを特徴とする請求項８記載のエラー解析方法。
【請求項１３】
前記大容量記憶手段は、ハードディスク装置であることを特徴とする請求項８記載のエラー解析方法。
【請求項１４】
前記解析結果格納手段は、ハードディスク装置であることを特徴とする請求項８記載のエラー解析方法。
【発明の詳細な説明】
【技術分野】
【０００１】
本発明は、ＣＤやＤＶＤ等のように各種の情報信号を所定のフォーマットで保存した記録媒体に対し、その保存データにフォーマットエラーがないか否かを検査するためのエラー解析装置及び方法に関する。
【背景技術】
【０００２】
従来、例えば音楽再生用のＣＤでは、所定のフォーマットに基づくメインチャネルデータ、サブコードデータ、及び同期データ等を含む各コードの情報信号を、物理レイヤでＥＦＭ（８−１４変調）信号に変換した状態で信号記録層に記録するようになっている（例えば特許文献１参照）。
そして、このＣＤの品質を測定する装置としては、光ピックアップの再生系から読み出したＥＦＭ信号を、信号処理用のＩＣに順次に取り込んで行き、このＩＣ内部でデコード処理し、このＩＣ内部で生じたエラー情報をマイコンによって読み出して、そのエラー情報だけを外部の記憶装置に記録していく方式が採用されている。
図２は、このような従来のエラー検査システムの概要を示すブロック図である。
図示のように、このエラー検査システムは、ＣＤ１０の再生を行う光ピックアップ２０と、ＣＤ１０の回転駆動等を行うサーボコントローラ３０と、光ピックアップ２０からの読み出し（ＲＦ）信号を増幅するＲＦアンプ４０と、読み出し信号の信号処理を行うＣＤ−ＤＳＰ５０と、ＤＳＰ５０からエラー情報の読み出しを行うマイコン６０と、マイコン６０によって読み出したエラー情報を格納する記憶装置（ハードディスク装置）７０とを有する。
しかし、このような方式では、データの再生からエラー判定までをハードウェア上でリアルタイム処理によって行う構成であるため、リアルタイムで高速処理を行う必要がある上、一度に読み出せるエラー情報に制限があり、光ディスクの高速化や大容量化に対応できないといった問題があった。
そこで、このようなエラー検査をホストシステムの大容量記憶装置（ハードディスク装置）とソフトウェアを用いて行うものが提案されている（例えば特許文献２参照）。
【特許文献１】特開２００３−１０００３４号公報
【特許文献２】特開２００１−１１８２４６号公報
【発明の開示】
【発明が解決しようとする課題】
【０００３】
しかしながら、上記特許文献２による従来技術では、エラー検査を行って、エラーと判断した場合には、再度読み出しを行う構成であるため、データ解析結果を後から確認できず、品質管理に十分活用できないという問題があった。
【０００４】
そこで本発明は、記録媒体のエラー検査を低コストで行えるとともに、データ解析結果を適正に管理して品質管理等に有効活用することが可能なエラー解析装置及び方法を提供することを目的とする。
【課題を解決するための手段】
【０００５】
上述の目的を達成するため、本発明のエラー解析装置は、記録媒体に記録された所定方式の変調データを読み出す信号再生手段と、前記信号再生手段によって読み出した変調データを蓄積する大容量記憶手段と、前記大容量記憶手段に蓄積された変調データに対してソフトウェアデコーダによるエラー解析を行うエラー解析手段と、前記エラー解析手段によるエラー解析結果を格納する解析結果格納手段とを有することを特徴とする。
また、本発明のエラー解析方法は、記録媒体に記録された所定方式の変調データを読み出す信号再生ステップと、前記信号再生手段によって読み出した変調データを大容量記憶手段に蓄積する蓄積ステップと、前記大容量記憶手段に蓄積された変調データに対してソフトウェアデコーダによるエラー解析を行うエラー解析ステップと、前記エラー解析手段によるエラー解析結果を解析結果格納手段に格納する格納ステップとを有することを特徴とする。
【発明の効果】
【０００６】
本発明のエラー解析装置及び方法によれば、記録媒体から読み出した変調データを大容量記憶手段に蓄積した後、この変調データに対してソフトウェアデコーダによるエラー解析を行い、そのエラー解析結果を格納手段に格納するようにしたことから、記録媒体のエラー検査を低コストで行えるとともに、データ解析結果を適正に管理して品質管理等に有効活用することが可能となる。
【発明を実施するための最良の形態】
【０００７】
本発明の実施の形態では、音楽再生用のＣＤに記録されたＥＦＭ信号を従来のようにデコーダＩＣでデコードするのではなく、ソフトウェアでデコードする。具体的には、ＣＤから読み出した変調データをハードディスク装置に蓄積した後、この変調データに対してＣＰＵのソフトウェアデコーダによるエラー解析を行い、そのエラー解析結果を音楽データを構成するメインチャネルデータ、サブコードデータ等とともに、ハードディスク装置に格納する。
一般に、この種のエラー訂正では、デコーダ内で多くのエラーを訂正しているが、デコーダＩＣを使用するとＩＣの仕様として、ある程度のエラーはまとめられて出力されるため、エラーの原因が特定することが困難なことが多かったが、本実施の形態では、これらのデコードの処理を全てソフトウェアで行い、発見できるエラーを解析することによって、エラーの原因等を突き止める情報を入手できるようにした。
【実施例１】
【０００８】
図１は本発明の実施例によるエラー解析装置及び方法を適用したエラー検査システムの概要を示すブロック図である。
図示のように、このエラー検査システムは、ＣＤ１１０の再生を行う光ピックアップ１２０と、ＣＤ１１０の回転駆動等を行うサーボコントローラ１３０と、光ピックアップ１２０からの読み出し（ＲＦ）信号を増幅するＲＦアンプ１４０と、読み出し信号の信号処理を行うＣＤ−ＤＳＰ１５０と、ＲＦアンプ１４０より出力されたＥＦＭの変調データをデータファイルとして蓄積するハードディスク装置（大容量記憶手段）１６０と、このハードディスク装置１６０に蓄積された変調データに対し、ソフトウェアデコーダによるエラー解析処理を行うＣＰＵ１７０と、エラー解析結果等の情報を格納するハードディスク装置（解析結果格納手段）１８０とを有する。なお、２つのハードディスク装置１６０、１８０は、ハードウェアによるメモリ空間を共有するものであってもよい。
このようなシステムでは、ＣＤ１１０に記録された変調データをハードディスク装置１６０に一括して読み出した後、ＣＰＵ１７０によってソフトウェアデコーダを起動し、ハードディスク装置１６０内の変調データを順次エラー解析していく。そして、その解析結果（エラー情報）と変調データから得られたメインチャネルデータ及びサブコードデータを共にハードディスク装置１８０に格納していく。
【０００９】
次に、本実施例における具体的な処理内容について説明する。
（１）まず、ＣＤ１１０のＥＦＭの変調データをハードディスク装置１６０に取り込む場合、ＣＤ１１０の最内周から再生動作を実行し、出力されるＥＦＭ信号をインタフェース（Ｉ／Ｆ）を通して読み出し、ハードディスク装置１６０に順次記録する。そして、最外周に達したら、ファイルをクローズし、ＣＤ１１０を停止させる。この動作によって、読み込み可能な全てのＥＦＭ信号をハードディスク装置１６０へ記録する。
【００１０】
（２）次に、ソフトウェアによるＥＦＭデータのデコード処理で次のようなエラー情報の検出を行う。
まず、ハードディスク装置１６０のＥＦＭデータファイルからＥＦＭＳｙｎｃ（ＥＦＭ同期データ）を探し、このＥＦＭＳｙｎｃから次のＥＦＭＳｙｎｃまでのビット数を測定し、５８８ビットよりずれているビット数を測定し、これをジッタ値としてエラー情報を出力することができる。
また、次のＥＦＭＳｙｎｃが見つからない場合には、さらに次の位置を探し、見つからなかった数をエラー情報として出力することができる。
【００１１】
また、ＥＦＭＳｙｎｃの位置から、マージンビットを取り除き、ＥＦＭテーブルを使用して８ビットデータを得る。このときＥＦＭテーブルに該当しない場所があれば、エラー情報として出力することができる。
また、ＥＦＭＳｙｎｃの位置からサブコードデータとメインチャネルデータとを分離する。そして、サブコードデータは累積し、Ｓ０／Ｓ１を検出する。ここで、検出すべき位置にＳ０／Ｓ１が存在しない場合、エラー情報として出力することができる。
そして、累積されたサブコードデータから、Ｓ０／Ｓ１の位置からサブＱコードを抜き出してＣＲＣチェックを行なう。そして、ＣＲＣでエラーの場合、エラー情報として出力することができる。
また、メインチャネルデータはＣＩＲＣデコーダへ送られ、Ｃ１／Ｃ２のエラー訂正処理が行なわれる。その際、Ｃ１／Ｃ２エラーはエラー情報として出力することができる。
【００１２】
（３）ソフトウェアによるＥＦＭデータの解析は次のように行う。
まず、ＥＦＭデータからＤＳＶを計算し、情報として出力することができる。
また、ＥＦＭデータから、３Ｔ−１１Ｔの分布を調べることができる。また、３Ｔ−１１Ｔ以外のデータが検出された場合、エラー情報として出力することができる。
また、（２）の処理で得られたエラー情報と（３）の解析情報を統合して、解析結果として出力する。
【００１３】
以上のような本実施例によれば、ＥＦＭデータファイルの中に含まれるエラーをすべて解析できるので、測定可能なエラーの種類が多くなる。また、ＥＦＭデータファイルがハードディスク装置に取り込まれているので再現性がある。また、取り込む解像度を、高くすれば、より精度の高い測定が行うことが可能になる。
また、従来は発見できなかったエラーの原因を特定することができる。また、エンコード時の不具合も検出できるので、エンコーダ開発時のデバッグにも利用できる。
また、取り込んだＥＦＭデータをデコーダ設計時に利用することもできるので、エラーロジックのシミュレーションに使うことが可能である。
なお、以上の実施例では、光ディスクとしてＣＤを例に説明したが、ＣＤ以外の記録媒体でも同様な方式が使用できるものである。
【図面の簡単な説明】
【００１４】
【図１】本発明の実施例によるエラー解析装置及び方法を適用したエラー検査システムの概要を示すブロック図である。
【図２】従来例によるエラー検査システムの概要を示すブロック図である。
【符号の説明】
【００１５】
１１０……ＣＤ、１２０……光ピックアップ、１３０……サーボコントローラ、１４０……ＲＦアンプ、１５０……ＣＤ−ＤＳＰ、１６０、１８０……ハードディスク装置、１７０……ＣＰＵ。
【図１】
2006004481.tif 000003
【図２】
2006004481.tif 000004